(57)【要約】【課題】端末識別情報を含む送信データに基づいて、履歴情報の選択的な記録と履歴情報に基づく表示履歴情報の選択的な送信とを行い、ユーザによる情報の獲得を補助することが可能な情報処理装置、情報処理方法、プログラム、および情報処理システムを提供する。【解決手段】固有の端末識別情報を記憶する情報処理端末と非接触通信が可能な表示装置と通信する通信部と、表示装置から送信される端末識別情報を含む送信データに基づいて表示装置が要求する処理の種別を判定する処理判定部と、判定結果に基づいて送信データを選択的に解析するデータ解析部と、解析結果を情報処理端末と表示装置との非接触通信に応じて登録される情報の履歴を表す履歴情報として端末識別情報ごとに記録する履歴情報記録部と、判定結果に基づいて端末識別情報に対応する表示履歴情報を表示装置へ選択的に送信させる履歴情報送信制御部とを備える情報処理装置が提供される。【選択図】図１２
2010165035.tif 000002
【特許請求の範囲】
【請求項１】
固有の端末識別情報を記憶する情報処理端末と所定周波数の搬送波を用いた非接触通信が可能な表示装置と通信する通信部と；
前記通信部が受信した前記表示装置から送信される、前記情報処理端末の前記端末識別情報を含む送信データに基づいて、前記表示装置が要求する処理の種別を判定する処理判定部と；
前記処理判定部の判定結果に基づいて、前記送信データを選択的に解析するデータ解析部と；
前記データ解析部の解析結果を、前記情報処理端末と前記表示装置との非接触通信に応じて登録される情報の履歴を表す履歴情報として前記端末識別情報ごとに記録する履歴情報記録部と；
前記処理判定部の判定結果に基づいて、前記端末識別情報に対応する履歴情報に基づく情報を表示させる表示履歴情報を前記表示装置へ選択的に送信させる履歴情報送信制御部と；
を備える、情報処理装置。
【請求項２】
前記処理判定部は、履歴として登録する登録データが前記送信データに含まれる場合には、登録データに基づく情報を前記履歴情報として記録する第１の処理が要求されていることを示す第１の判定結果を出力し、
前記履歴情報の取得を要求する履歴情報取得要求が前記送信データに含まれている場合には、前記送信データに含まれる前記端末識別情報に対応する前記表示履歴情報を送信する第２の処理が要求されていることを示す第２の判定結果を出力する、請求項１に記載の情報処理装置。
【請求項３】
前記端末識別情報ごとに前記履歴情報を記憶する記憶部をさらに備え、
前記履歴情報送信制御部は、前記第２の判定結果と前記送信データに含まれる前記端末識別情報とに基づいて、前記端末識別情報に対応する履歴情報を前記記憶部から抽出し、抽出された履歴情報に基づく情報を表示させる表示履歴情報を前記通信部に送信させる、請求項２に記載の情報処理装置。
【請求項４】
前記データ解析部は、前記第１の判定結果に基づいて、前記登録データを解析する、請求項２に記載の情報処理装置。
【請求項５】
表示画面に情報を表示可能な表示部と；
固有の端末識別情報を記憶する情報処理端末と所定周波数の搬送波を用いた非接触通信を行う通信部と；
処理の種別を規定する操作信号を生成する操作部と；
前記操作信号に基づいて、前記情報処理端末の前記端末識別情報を含み前記操作信号が規定する処理に応じた処理データを生成するデータ生成部と；
前記処理データに基づいて処理の種別を判定する処理判定部と；
前記処理判定部の判定結果に基づいて、前記処理データを選択的に解析するデータ解析部と；
前記データ解析部の解析結果を、前記情報処理端末との非接触通信に応じて登録される情報の履歴を表す履歴情報として前記端末識別情報ごとに記録する履歴情報記録部と；
前記処理判定部の判定結果に基づいて、前記端末識別情報に対応する履歴情報に基づく情報を表示させる表示履歴情報を前記表示部に表示させる履歴情報表示制御部と；
を備える、情報処理装置。
【請求項６】
固有の端末識別情報を記憶する情報処理端末と所定周波数の搬送波を用いた非接触通信が可能な表示装置から送信される、前記情報処理端末の前記端末識別情報を含む送信データに基づいて、前記表示装置が要求する処理の種別を判定するステップと；
前記判定するステップにおける判定結果に基づいて、前記送信データを選択的に解析するステップと；
前記解析するステップにおける解析結果を、前記情報処理端末と前記表示装置との非接触通信に応じて登録される情報の履歴を表す履歴情報として前記端末識別情報ごとに記録するステップと；
前記判定するステップにおける判定結果に基づいて、前記端末識別情報に対応する履歴情報に基づく情報を表示させる表示履歴情報を前記表示装置へ選択的に送信させるステップと；
を有する、情報処理方法。
【請求項７】
固有の端末識別情報を記憶する情報処理端末と所定周波数の搬送波を用いた非接触通信が可能な表示装置から送信される、前記情報処理端末の前記端末識別情報を含む送信データに基づいて、前記表示装置が要求する処理の種別を判定するステップ；
前記判定するステップにおける判定結果に基づいて、前記送信データを選択的に解析するステップ；
前記解析するステップにおける解析結果を、前記情報処理端末と前記表示装置との非接触通信に応じて登録される情報の履歴を表す履歴情報として前記端末識別情報ごとに記録するステップ；
前記判定するステップにおける判定結果に基づいて、前記端末識別情報に対応する履歴情報に基づく情報を表示させる表示履歴情報を前記表示装置へ選択的に送信させるステップ；
をコンピュータに実行させるためのプログラム。
【請求項８】
固有の端末識別情報を記憶する情報処理端末と所定周波数の搬送波を用いた第１の通信路にて通信可能な表示装置と、前記第１の通信路とは異なる第２の通信路にて前記表示装置と通信可能な情報処理装置とを有し、
前記表示装置は、
表示画面に情報を表示可能な表示部と；
前記搬送波を用いた前記第１の通信路にて前記情報処理端末と通信する第１通信部と；
前記第２の通信路にて前記情報処理装置と通信する第２通信部と；
処理の種別を規定する操作信号を生成する操作部と；
前記操作信号に基づいて、前記情報処理端末の前記端末識別情報を含み前記操作信号が規定する処理に応じた送信データを生成するデータ生成部と；
を備え、
前記情報処理装置は、
前記第２の通信路にて前記表示装置と通信する通信部と；
前記通信部が受信した前記表示装置から送信される前記送信データに基づいて、前記表示装置が要求する処理の種別を判定する処理判定部と；
前記処理判定部の判定結果に基づいて、前記送信データを選択的に解析するデータ解析部と；
前記データ解析部の解析結果を、前記情報処理端末と前記表示装置との非接触通信に応じて登録される情報の履歴を表す履歴情報として前記端末識別情報ごとに記録する履歴情報記録部と；
前記処理判定部の判定結果に基づいて、前記端末識別情報に対応する履歴情報に基づく情報を表示させる表示履歴情報を前記表示装置へ選択的に送信させる履歴情報送信制御部と；
を備える、情報処理システム。
【発明の詳細な説明】
【技術分野】
【０００１】
本発明は、情報処理装置、情報処理方法、プログラム、および情報処理システムに関する。
【背景技術】
【０００２】
近年、非接触式ＩＣ（Integrated  Circuit）カードや、ＲＦＩＤ（Radio  Frequency  Identification）タグ、非接触式ＩＣチップを搭載した携帯電話など、リーダ／ライタ（または、リーダ／ライタ機能を有する装置）と非接触式に通信可能な情報処理端末が普及している。
【０００３】
リーダ／ライタと、ＩＣカード、携帯電話などの情報処理端末とは、例えば１３．５６ＭＨｚなど特定の周波数の磁界（搬送波）を通信に使用している。具体的には、リーダ／ライタが搬送波信号をのせた搬送波を送信し、搬送波をアンテナで受信した情報処理端末が負荷変調によって受信した搬送波信号に対する応答信号を返信することにより、リーダ／ライタと情報処理端末とは通信を行う。
【０００４】
また、上記のようなリーダ／ライタと非接触式に通信可能な情報処理端末は、耐タンパ性を有するＩＣチップを備えることにより、例えば、電子マネーなどデータの改竄が問題となるデータの送受信や更新を安全に行うことができる。したがって、上記のようなリーダ／ライタと非接触式に通信可能なＩＣチップを搭載した情報処理端末を利用した様々なサービスの提供が社会的に広がっている。そして、サービスの提供の広がりに伴い、ＩＣカードや携帯電話などの非接触式ＩＣチップを搭載した情報処理端末の普及がさらに進んでいる。
【０００５】
このような中、情報処理端末に記録された情報に基づいてユーザに情報を提供する技術が開発されている。ＩＣカードに記録された個人情報に基づいてＩＣカードのユーザに適した広告を選択して表示させる技術としては、例えば、特許文献１が挙げられる。また、ユーザの行動履歴に係る情報を収集、分析することによって、ユーザに提供する広告の表示スケジュールを計画する技術としては、例えば、特許文献２が挙げられる。
【０００６】
【特許文献１】特開２００２−１４０７３６号公報
【特許文献２】特開２００５−３７５６３号公報
【発明の開示】
【発明が解決しようとする課題】
【０００７】
ＩＣカードに記録された個人情報に基づいてＩＣカードのユーザに適した広告を選択して表示させる従来の技術（以下、「従来の技術１」という。）は、ＩＣカード（情報処理端末）に記録された個人情報に基づいて、ＩＣカードのユーザに広告を提供する。しかしながら、従来の技術１は、情報処理端末に記録された情報からユーザの属性を判定し、判定された属性に基づいて選択された情報をユーザに提供しているに過ぎない。つまり、従来の技術１を用いた場合にユーザに提供される情報は、従来の技術１が適用された情報処理装置が単に属性に基づいて選択した情報である。したがって、従来の技術１を用いたとしても、ユーザが所望する情報をユーザに提供できるとは限らない。
【０００８】
また、ユーザの行動履歴に係る情報を収集、分析することによって、ユーザに提供する広告の表示スケジュールを計画する従来の技術（以下、「従来の技術２」という。）は、ユーザの行動履歴に係る情報に基づいて、広告をユーザに提供する。しかしながら、従来の技術２は、ユーザの行動履歴に係る情報に基づいて情報の提供スケジュールを決定し、決定されたスケジュールに応じた情報をユーザに提供しているに過ぎない。つまり、従来の技術２を用いた場合にユーザに提供される情報は、従来の技術２が適用された情報処理装置がユーザの行動履歴に係る情報の分析結果に基づいて選択した情報である。したがって、従来の技術２を用いたとしても、ユーザが所望する情報をユーザに提供できるとは限らない。
【０００９】
上記のように、従来の技術１、従来の技術２が用いられた結果ユーザに提供される情報は、取得されたユーザに関する情報に基づいて従来の情報処理装置が選択した情報である。したがって、従来の技術１、従来の技術２（以下、総称して「従来の技術」という。）が用いられた結果ユーザに提供される情報は、ユーザが所望する情報であるとは限らない。
【００１０】
本発明は、上記問題に鑑みてなされたものであり、本発明の目的とするところは、情報処理端末固有の端末識別情報を含む送信データに基づいて、履歴情報の選択的な記録と履歴情報に基づく表示履歴情報の選択的な送信とを行い、ユーザによる情報の獲得を補助することが可能な、新規かつ改良された情報処理装置、情報処理方法、プログラム、および情報処理システムを提供することにある。
【課題を解決するための手段】
【００１１】
上記目的を達成するために、本発明の第１の観点によれば、固有の端末識別情報を記憶する情報処理端末と所定周波数の搬送波を用いた非接触通信が可能な表示装置と通信する通信部と、上記通信部が受信した上記表示装置から送信される、上記情報処理端末の上記端末識別情報を含む送信データに基づいて、上記表示装置が要求する処理の種別を判定する処理判定部と、上記処理判定部の判定結果に基づいて、上記送信データを選択的に解析するデータ解析部と、上記データ解析部の解析結果を、上記情報処理端末と上記表示装置との非接触通信に応じて登録される情報の履歴を表す履歴情報として上記端末識別情報ごとに記録する履歴情報記録部と、上記処理判定部の判定結果に基づいて、上記端末識別情報に対応する履歴情報に基づく情報を表示させる表示履歴情報を上記表示装置へ選択的に送信させる履歴情報送信制御部とを備える情報処理装置が提供される。
【００１２】
かかる構成によって、情報処理端末固有の端末識別情報を含む送信データに基づいて、履歴情報の選択的な記録と履歴情報に基づく表示履歴情報の選択的な送信とを行い、ユーザによる情報の獲得を補助することができる。
【００１３】
また、上記処理判定部は、履歴として登録する登録データが上記送信データに含まれる場合には、登録データに基づく情報を上記履歴情報として記録する第１の処理が要求されていることを示す第１の判定結果を出力し、上記履歴情報の取得を要求する履歴情報取得要求が上記送信データに含まれている場合には、上記送信データに含まれる上記端末識別情報に対応する上記表示履歴情報を送信する第２の処理が要求されていることを示す第２の判定結果を出力してもよい。
【００１４】
また、上記端末識別情報ごとに上記履歴情報を記憶する記憶部をさらに備え、上記履歴情報送信制御部は、上記第２の判定結果と上記送信データに含まれる上記端末識別情報とに基づいて、上記端末識別情報に対応する履歴情報を上記記憶部から抽出し、抽出された履歴情報に基づく情報を表示させる表示履歴情報を上記通信部に送信させてもよい。
【００１５】
また、上記データ解析部は、上記第１の判定結果に基づいて、上記登録データを解析してもよい。
【００１６】
また、上記目的を達成するために、本発明の第２の観点によれば、表示画面に情報を表示可能な表示部と、固有の端末識別情報を記憶する情報処理端末と所定周波数の搬送波を用いた非接触通信を行う通信部と、処理の種別を規定する操作信号を生成する操作部と、上記操作信号に基づいて、上記情報処理端末の上記端末識別情報を含み上記操作信号が規定する処理に応じた処理データを生成するデータ生成部と、上記処理データに基づいて処理の種別を判定する処理判定部と、上記処理判定部の判定結果に基づいて、上記処理データを選択的に解析するデータ解析部と、上記データ解析部の解析結果を、上記情報処理端末との非接触通信に応じて登録される情報の履歴を表す履歴情報として上記端末識別情報ごとに記録する履歴情報記録部と、上記処理判定部の判定結果に基づいて、上記端末識別情報に対応する履歴情報に基づく情報を表示させる表示履歴情報を上記表示部に表示させる履歴情報表示制御部とを備える情報処理装置が提供される。
【００１７】
かかる構成により、ユーザによる情報の獲得を補助することができる。
【００１８】
また、上記目的を達成するために、本発明の第３の観点によれば、固有の端末識別情報を記憶する情報処理端末と所定周波数の搬送波を用いた非接触通信が可能な表示装置から送信される、上記情報処理端末の上記端末識別情報を含む送信データに基づいて、上記表示装置が要求する処理の種別を判定するステップと、上記判定するステップにおける判定結果に基づいて、上記送信データを選択的に解析するステップと、上記解析するステップにおける解析結果を、上記情報処理端末と上記表示装置との非接触通信に応じて登録される情報の履歴を表す履歴情報として上記端末識別情報ごとに記録するステップと、上記判定するステップにおける判定結果に基づいて、上記端末識別情報に対応する履歴情報に基づく情報を表示させる表示履歴情報を上記表示装置へ選択的に送信させるステップとを有する情報処理方法が提供される。
【００１９】
かかる方法を用いることによって、情報処理端末固有の端末識別情報を含む送信データに基づいて、履歴情報の選択的な記録と履歴情報に基づく表示履歴情報の選択的な送信とを行い、ユーザによる情報の獲得を補助することができる。
【００２０】
上記目的を達成するために、本発明の第４の観点によれば、固有の端末識別情報を記憶する情報処理端末と所定周波数の搬送波を用いた非接触通信が可能な表示装置から送信される、上記情報処理端末の上記端末識別情報を含む送信データに基づいて、上記表示装置が要求する処理の種別を判定するステップ、上記判定するステップにおける判定結果に基づいて、上記送信データを選択的に解析するステップ、上記解析するステップにおける解析結果を、上記情報処理端末と上記表示装置との非接触通信に応じて登録される情報の履歴を表す履歴情報として上記端末識別情報ごとに記録するステップ、上記判定するステップにおける判定結果に基づいて、上記端末識別情報に対応する履歴情報に基づく情報を表示させる表示履歴情報を上記表示装置へ選択的に送信させるステップをコンピュータに実行させるためのプログラムが提供される。
【００２１】
かかるプログラムを用いることにより、情報処理端末固有の端末識別情報を含む送信データに基づいて、履歴情報の選択的な記録と履歴情報に基づく表示履歴情報の選択的な送信とを行い、ユーザによる情報の獲得を補助することができる。
【００２２】
また、上記目的を達成するために、本発明の第５の観点によれば、固有の端末識別情報を記憶する情報処理端末と所定周波数の搬送波を用いた第１の通信路にて通信可能な表示装置と、上記第１の通信路とは異なる第２の通信路にて上記表示装置と通信可能な情報処理装置とを有し、上記表示装置は、表示画面に情報を表示可能な表示部と、上記搬送波を用いた上記第１の通信路にて上記情報処理端末と通信する第１通信部と、上記第２の通信路にて上記情報処理装置と通信する第２通信部と、処理の種別を規定する操作信号を生成する操作部と、上記操作信号に基づいて、上記情報処理端末の上記端末識別情報を含み上記操作信号が規定する処理に応じた送信データを生成するデータ生成部とを備え、上記情報処理装置は、上記第２の通信路にて上記表示装置と通信する通信部と、上記通信部が受信した上記表示装置から送信される上記送信データに基づいて、上記表示装置が要求する処理の種別を判定する処理判定部と、上記処理判定部の判定結果に基づいて、上記送信データを選択的に解析するデータ解析部と、上記データ解析部の解析結果を、上記情報処理端末と上記表示装置との非接触通信に応じて登録される情報の履歴を表す履歴情報として上記端末識別情報ごとに記録する履歴情報記録部と、上記処理判定部の判定結果に基づいて、上記端末識別情報に対応する履歴情報に基づく情報を表示させる表示履歴情報を上記表示装置へ選択的に送信させる履歴情報送信制御部とを備える情報処理システムが提供される。
【００２３】
かかる構成により、情報処理端末固有の端末識別情報を含む送信データに基づいて、履歴情報の選択的な記録と履歴情報に基づく表示履歴情報の選択的な送信とを行い、ユーザによる情報の獲得を補助することが可能な情報処理システムが実現される。
【発明の効果】
【００２４】
本発明によれば、情報処理端末固有の端末識別情報を含む送信データに基づいて、履歴情報の選択的な記録と履歴情報に基づく表示履歴情報の選択的な送信とを行い、ユーザによる情報の獲得を補助することができる。
【発明を実施するための最良の形態】
【００２５】
以下に添付図面を参照しながら、本発明の好適な実施の形態について詳細に説明する。なお、本明細書および図面において、実質的に同一の機能構成を有する構成要素については、同一の符号を付することにより重複説明を省略する。
【００２６】
また、以下では、下記に示す順序で説明を行う。
１．本発明の実施形態に係る情報処理アプローチ
２．本発明の実施形態に係る情報処理システム
３．本発明の実施形態に係るプログラム
【００２７】
（本発明の実施形態に係る情報処理アプローチ）
本発明の実施形態に係る情報処理システム（以下、総称して「情報処理システム１０００」という。）の構成について説明する前に、本発明の実施形態に係る情報処理アプローチについて説明する。
【００２８】
［情報処理システム１０００の概要］
図１は、本発明の実施形態に係る情報処理システム１０００の概要を説明するための説明図である。
【００２９】
情報処理システム１０００は、情報処理装置１００と、表示装置２００、２００’、…と、情報処理端末３００、３００’、…とを有する。ここで、図１では、表示装置２００、２００’として、テレビジョン放送に応じた画像（動画像／静止画像）を表示可能なテレビ受像機を示しているが、本発明の実施形態に係る表示装置は、上記に限られない。また、図１では、情報処理端末３００、３００’としてＩＣカードと携帯電話を示しているが、本発明の実施形態に係る情報処理端末は、上記に限られない。以下では、情報処理システム１０００を構成する表示装置および情報処理端末のうち、表示装置２００と情報処理端末３００とを例に挙げて説明する。また、情報処理システム１０００を構成するその他の表示装置およびその他の情報処理端末については、表示装置２００、情報処理端末３００と同様であるため、説明を省略する。また、以下では、本発明の実施形態に係る表示装置を総称して「表示装置８００」とよび、また、本発明の実施形態に係る情報処理端末を総称して「情報処理端末９００」とよぶ場合がある。
【００３０】
情報処理装置１００と各表示装置とは、ネットワーク５００で接続される。ここで、本発明の実施形態に係る接続とは、例えば、通信可能な状態にあることをいう。ネットワーク５００としては、例えば、ＬＡＮ（Local  Area  Network）やＷＡＮ（Wide  Area  Network）などの有線ネットワーク、基地局を介した無線ＷＡＮ（ＷＷＡＮ；Wireless  Wide  Area  Network）や無線ＭＡＮ（ＷＭＡＮ；Wireless  Metropolitan  Area  Network）などの無線ネットワーク、あるいは、ＴＣＰ／ＩＰ（Transmission  Control  Protocol/Internet  Protocol）などの通信プロトコルを用いたインターネットなどが挙げられるが、上記に限られない。なお、図１では、情報処理装置１００と表示装置それぞれとがネットワーク５００で接続される例を示しているが、上記に限られない。例えば、本発明の実施形態に係る情報処理装置と各表示装置とは、直接的に通信を行うこともできる。以下では、本発明の実施形態に係る情報処理装置と各表示装置との通信に係る通信路を、「第２の通信路」とよぶ場合がある。
【００３１】
表示装置２００と情報処理端末３００とは、例えば、１３．５６ＭＨｚなど特定の周波数の磁界（以下、「搬送波」という。）を用いて非接触式に通信を行う。より具体的には、表示装置２００が搬送波信号をのせた搬送波を送信し、搬送波をアンテナで受信した情報処理端末３００が負荷変調によって受信した搬送波信号に対する応答信号を返信することにより、表示装置２００と情報処理端末３００とは通信を行う。つまり、本発明の実施形態に係る情報処理システム１０００において、表示装置２００は、搬送波を主体的に送信するリーダ／ライタとしての役目を果たす。よって、情報処理端末３００のユーザが情報処理端末３００を表示装置２００にかざす（表示装置２００との距離が一定の距離となるように移動させる。以下、同様とする。）だけで、表示装置２００と情報処理端末３００との通信が成立する。以下では、本発明の実施形態に係る表示装置と情報処理端末との通信に係る通信路を、「第１の通信路」とよぶ場合がある。
【００３２】
情報処理システム１０００は、例えば、図１に示す構成によって、情報処理装置１００と各表示装置、および各表示装置と各情報処理端末が、通信を行うことができる。
【００３３】
［情報処理システム１０００における情報処理アプローチ］
次に、情報処理システム１０００における情報処理アプローチについて説明する。
【００３４】
上述したように、従来の技術では、従来の情報処理装置が取得されたユーザに関する情報に基づいて提供する情報を選択し、選択された情報をユーザへ提供する。ここで、従来の技術に係る方法では、ユーザが所望する情報を提供できるとは限らない。
【００３５】
そこで、本発明の実施形態に係る情報処理システム１０００では、各表示装置から送信される送信データに基づいて、情報処理装置１００が、例えば、以下の（１）の処理〜（３）の処理を行い、ユーザによる情報の獲得を補助する
【００３６】
ここで、本発明の実施形態に係る送信データとは、情報処理端末それぞれに固有の端末識別情報が含まれるデータである。また、送信データには、処理の種別を規定する情報が含まれていてもよい。送信データは、例えば、表示装置８００と情報処理端末９００との非接触通信と、表示装置８００が備える操作部（後述する）を用いたユーザ操作とに基づいて、表示装置８００により生成される。また、本発明の実施形態に係る端末識別情報としては、例えば、情報処理端末が備えるＩＣチップに付された固有のチップＩＤや、情報処理端末が備えるネットワーク機器のＭＡＣアドレス（Media  Access  Control  address）などが挙げられるが、上記に限られない。
【００３７】
情報処理装置１００における処理について説明する前に、情報処理装置１００における処理の前提となる、本発明の実施形態に係る表示装置８００における送信データの生成について説明する。
【００３８】
（０）表示装置８００における送信データの生成処理
表示装置８００は、情報処理端末９００がかざされると、表示画面にユーザによる選択を要求する処理選択画面を表示させる。図２は、本発明の実施形態に係る表示装置８００が表示画面に表示させる処理選択画面の一例を示す説明図である。ここで、図２は、例えば、表示装置８００が受信したデジタル放送の放送内容を表示画面に表示させているときに情報処理端末９００がかざされた場合における処理選択画面の一例を示している。なお、本発明の実施形態に係る処理選択画面は、デジタル放送の放送内容に基づいて生成される画面に限られない。例えば、本発明の実施形態に係る処理選択画面は、アナログ放送の放送内容に基づいて生成されてもよいし、表示画面に表示されたブラウジング画面の内容に基づいて生成されてもよい。
【００３９】
表示装置８００は、例えば、デジタル放送の内容を示す情報（図２のＡ）や、情報処理端末９００がかざされたときのデジタル放送の内容を示す情報（図２のＢ、Ｃ）、ユーザに選択させる処理を表す情報（図２のＳｅｌ１〜Ｓｅｌ３）を処理選択画面に表示させる。ここで、図２のＢは、情報処理端末９００がかざされたときのデジタル放送の内容を画像で表したものである。表示装置８００は、例えば、情報処理端末９００がかざされたときのフレームを記憶することによって、処理選択画面に図２のＢに示すような画像を表示させる。また、図２のＣは、情報処理端末９００がかざされたときのデジタル放送の内容を文字情報で表したものである。表示装置８００は、例えば、情報処理端末９００がかざされたときに受信したデジタル放送に含まれるＰＳＩ（Program  Specific  Information）などに基づいて、処理選択画面に図２のＣに示すような文字情報を表示させる。
【００４０】
ここで、例えばユーザが図２に示すＳｅｌ１を選択した場合には、表示装置８００は、処理選択画面を終了して、受信しているデジタル放送の内容（以下、「視聴画面」とよぶ場合がある。）を表示させる。
【００４１】
また、例えばユーザが図２に示すＳｅｌ２を選択した場合には、表示装置８００は、情報処理端末９００がかざされたときのデジタル放送の内容を示す情報（図２のＢ、Ｃ）を、
情報処理装置１００に登録させるための送信データを生成する。ここで、情報処理装置１００に登録させるための送信データ（以下、「第１の送信データ」とよぶ場合がある。）には、例えば、以下の情報（データ）が含まれる。なお、本発明の実施形態に係る第１の送信データに含まれる情報は、以下のものに限られない。
・端末識別情報＋登録データ
・端末識別情報＋登録データ＋情報登録要求
【００４２】
上記登録データとは、情報処理装置１００に登録させる履歴情報（後述する）の基となるデータである。本発明の実施形態に係る登録データには、例えば、図２のＢ、Ｃに示すような情報処理端末９００がかざされたときのデジタル放送の内容を示す情報が含まれるが、上記に限られない。例えば、表示装置８００は、図２のＢに示すような情報処理端末９００がかざされたときのデジタル放送の内容を表す画像を、送信データに含める登録データとすることができる。また、登録データは、処理の種別を規定する情報としての役目を果たすこともできる。
【００４３】
また、上記情報登録要求とは、登録データに基づく情報を情報処理装置１００に履歴情報（後述する）として記録させるための命令である。
【００４４】
表示装置８００は、例えば、上記のようなデータが含まれる第１の送信データを生成し、情報処理装置１００へ送信する。なお、以下では、表示装置８００が、第１の送信データとして、端末識別情報と登録データとからなる送信データを送信するものとして説明する。
【００４５】
また、例えばユーザが図２に示すＳｅｌ３を選択した場合には、表示装置８００は、送信データに含まれる端末識別情報に対応する履歴情報（後述する）に基づく情報を表示させる表示履歴情報（後述する）の送信を要求する送信データを生成する。ここで、情報処理装置１００に表示履歴情報（後述する）の送信を要求する送信データ（以下、「第２の送信データ」とよぶ場合がある。）には、例えば、以下の情報（データ）が含まれる。なお、本発明の実施形態に係る第２の送信データに含まれる情報は、以下のものに限られない。
・端末識別情報＋履歴情報取得要求
【００４６】
上記履歴情報取得要求とは、第２の送信データに含まれる端末識別情報に対応する履歴情報（後述する）に基づく情報を表示させる表示履歴情報（後述する）を情報処理装置１００に送信させるための命令である。つまり、履歴情報取得要求は、表示装置８００が履歴情報の取得を要求していることを情報処理装置１００へ伝達する役目を果たす。つまり、履歴情報取得要求は、処理の種別を規定する情報としての役目を果たすこともできる。
【００４７】
表示装置８００は、例えば、上記のようなデータが含まれる第２の送信データを生成し、情報処理装置１００へ送信する。
【００４８】
情報処理装置１００は、表示装置８００から送信される送信データ（第１の送信データ／第２の送信データ）を受信し、受信された送信データに基づいて処理を行う。次に、情報処理装置１００が送信データに基づいて行う処理について説明する。
【００４９】
（１）処理の種別の判定処理
情報処理装置１００は、受信した送信データ（第１の送信データ／第２の送信データ）に基づいて、表示装置８００が要求する処理の種別を判定する。
【００５０】
情報処理装置１００は、例えば、送信データに登録データが含まれている場合には、登録データに基づく情報を履歴情報として記録する第１の処理が要求されていると判定する。上記の場合における判定結果は、情報処理装置１００が、第１の送信データを受信した場合における判定結果（以下、「第１の判定結果」という。）である。また、情報処理装置１００は、例えば、送信データに履歴情報取得要求が送信データに含まれている場合には、送信データに含まれる端末識別情報に対応する履歴情報に基づく情報を表示させる表示履歴情報を送信する第２の処理が要求されていると判定する。上記の場合における判定結果は、情報処理装置１００が、第２の送信データを受信した場合における判定結果（以下、「第２の判定結果」という。）である。
【００５１】
また、情報処理装置１００は、受信した送信データに含まれる端末識別情報と、処理対象とする情報処理端末の端末識別情報が予め記録されたユーザデータベース（以下、「ユーザＤＢ」という。）とに基づいて、上記（１）の処理を選択的に行うこともできる。より具体的には、情報処理装置１００は、送信データに含まれる端末識別情報がユーザＤＢに記録されている場合には、上記（１）の処理を行い、また、当該端末識別情報がユーザＤＢに記録されていない場合には、上記（１）の処理を行わない。上記のように選択的に上記（１）の処理を行うことによって、情報処理装置１００では、処理対象としていない情報処理端末に対して処理が行われることが防止されるので、例えば、情報処理装置１００における処理の負荷が軽減される。図３は、本発明の実施形態に係る情報処理装置１００が記憶するユーザＤＢの一例を示す説明図である。図３に示すように、ユーザＤＢには、少なくとも処理対象として登録された端末識別情報が記録される。なお、本発明の実施形態に係るユーザＤＢに含まれる情報が、図３に示す情報に限られないことは、言うまでもない。
【００５２】
〔本発明の実施形態に係る履歴情報〕
本発明の実施形態に係る履歴情報とは、情報処理端末９００と表示装置８００との非接触通信に応じて登録される情報の履歴を表す情報である。情報処理装置１００は、送信データに登録データが含まれている場合、すなわち第１の送信データを受信した場合には、登録データを解析する。そして、情報処理装置１００は、解析結果を、送信データに含まれる端末識別情報ごとに履歴情報として記録（履歴情報の新規作成／履歴情報の更新）する。
【００５３】
本発明の実施形態に係る履歴情報には、例えば、図２のＢに示すような登録データに含まれる画像（以下、「履歴画像」とよぶ場合がある。）、図２のＣに示すような文字情報、図２のＢに示すような履歴画像を画像解析した結果得られる情報などが記録される。履歴画像を画像解析した結果得られる情報としては、例えば、図２のＢに示す画像の画像認識の結果得られる“クマ、動物、携帯電話、９００円、２４時間、通話し放題”などが挙げられる。
【００５４】
ここで、情報処理装置１００は、端末識別情報ごとの履歴情報を、例えば、記録される情報がレコード単位で記録されたデータベース形式で管理することができるが、上記に限られない。例えば、情報処理装置１００は、データベース形式で管理する場合における各レコードを、レコードごとに１つのファイルとして管理することもできる。
【００５５】
〔本発明の実施形態に係る表示履歴情報〕
また、本発明の実施形態に係る表示履歴情報とは、履歴情報に基づく情報を表示画面に表示させるためのデータである。情報処理装置１００は、送信データに含まれる端末識別情報に対応する履歴情報を、例えば、履歴情報を記憶する記憶部（後述する）から抽出する。そして、情報処理装置１００は、抽出された履歴情報に含まれる情報に基づいて、表示履歴情報を生成する。ここで、表示履歴情報の具体例は、後述する。
【００５６】
（２）履歴情報の記録処理
上記（１）の処理において第１の判定結果が得られた場合、情報処理装置１００は、送信データに基づく履歴情報の記録処理を行う。情報処理装置１００は、例えば、以下の（２−１）の処理、（２−２）の処理によって、履歴情報の記録処理を実現するが、上記に限られない。
【００５７】
（２−１）登録データの解析処理
情報処理装置１００は、送信データに含まれる登録データを解析する。ここで、本発明の実施形態に係る解析処理としては、例えば、履歴画像に対する画像解析や、当該画像解析の結果得られた文字情報および／または図２のＣに示すような文字情報に対する、形態素解析あるいはシソーラス辞書などを用いた言語解析などが挙げられる。なお、情報処理装置１００における解析処理が、上記に限られないことは、言うまでもない。
【００５８】
（２−２）履歴情報の記録処理
情報処理装置１００は、上記（２−１）の処理における解析結果を、送信データに含まれる端末識別情報に基づいて、対応する履歴情報に記録する。ここで、情報処理装置１００は、例えば、履歴情報を記憶する記憶部（後述する）に送信データに含まれる端末識別情報に対応する履歴情報が記憶されていない場合には、当該端末識別情報に対応する履歴情報を新規に作成する。また、情報処理装置１００は、例えば、履歴情報を記憶する記憶部（後述する）に送信データに含まれる端末識別情報に対応する履歴情報が記憶されている場合には、当該端末識別情報に対応する履歴情報に解析結果を記録する。
【００５９】
情報処理装置１００は、例えば、履歴情報を自装置が備える記憶部（後述する）に記録するが、上記に限られない。例えば、情報処理装置１００は、ネットワーク５００を介して接続された記憶装置や、メモリスティック（Memory  Stick）などのような着脱可能な記録媒体に履歴情報を記録することもできる。
【００６０】
上記（１）の処理において第１の判定結果が得られた場合には、情報処理装置１００は、例えば、上記（２−１）の処理および（２−２）の処理を行うことによって、送信データに基づく履歴情報を記録する。
【００６１】
（３）表示履歴情報の送信処理
上記（１）の処理において第２の判定結果が得られた場合、情報処理装置１００は、送信データに含まれる端末識別情報に基づいて、当該端末識別情報に対応する履歴情報を抽出する。そして、情報処理装置１００は、抽出された履歴情報に基づいて表示履歴情報を生成し、送信データを送信した表示装置８００へ送信する。よって、表示装置８００では、表示履歴情報に応じた画面が表示されることとなる。
【００６２】
図４は、本発明の実施形態に係る情報処理装置１００が生成する表示履歴情報の一例を示す説明図である。ここで、図４は、表示履歴情報が表示装置８００の表示画面に表示された場合における表示の一例を示している。また、情報処理装置１００は、例えば、ｈｔｍｌ（HyperText  Markup  Language）やｘｍｌ（eXtensible  Markup  Language）などのマークアップ言語を用いて、図４に示すような表示を可能とする表示履歴情報を生成するが、上記に限られない。
【００６３】
表示履歴情報は、例えば、表示装置８００が受信しているデジタル放送の内容を示す情報（図４のＤ）や、履歴情報に含まれる履歴の一覧を示す情報（図４のＥ）、選択された履歴のプレビュー画面（図４のＦ）などを表示画面に表示させる。
【００６４】
また、履歴情報に含まれる履歴の一覧を示す情報（図４のＥ）には、例えば、ユーザが獲得可能な情報をユーザに提示するためのアイコンが付される（図４のＨ、Ｉ）。ここで、図４のＨに示すアイコンは、アイコンが付された履歴が、例えば、クーポンの取得や、Ｗｅｂリンクが張られているコンテンツに対応していることを示している。また、図４のＩに示すアイコンは、アイコンが付された履歴が、例えば、音楽ファイルのダウンロードが可能なコンテンツに対応していることを示している。ここで、情報処理装置１００は、例えば、履歴画像を画像解析した結果得られる情報などに基づいて、インターネットなどをキーワード検索することによって、図４のＨ、Ｉに示すような各履歴に対応するコンテンツの情報を得ることができるが、上記に限られない。
【００６５】
また、表示履歴情報は、ユーザに選択させる処理を表す情報（図２のＳｅｌ４〜Ｓｅｌ６）を表示画面に表示させる。
【００６６】
例えばユーザが図４に示すＳｅｌ４を選択した場合には、表示装置８００は、表示履歴情報が表す表示画面を終了して、視聴画面を表示させる。
【００６７】
また、例えば、ユーザが図４に示すＳｅｌ５を選択した場合には、図４のＥにおいて選択されている履歴の情報が表示される（図示せず）。上記図４のＥにおいて選択された履歴を示す表示画面は、表示履歴情報に予め記録されたものであってもよいし、表示装置８００と情報処理装置１００とが再度通信を行うことによって、情報処理装置１００が新たに生成してもよい。このとき、図４のＥにおいて選択された履歴を示す表示画面には、例えば、当該履歴に対応するコンテンツの情報の取得を要求する「コンテンツ」ボタンや、音楽ファイルや履歴画像に含まれる商品などを購入するための「購入」ボタンが表示されてもよい。また、図４のＥにおいて選択された履歴を示す表示画面には、例えば、クーポンの取得を選択するための「クーポン」ボタンを表示させることもできる。
【００６８】
例えば、ユーザが、上記「コンテンツ」を選択した場合には、表示装置８００は、図４のＥにおいて選択された履歴に係るさらなる情報の取得を情報処理装置１００へと要求する。上記取得の要求を受信すると、情報処理装置１００は、履歴情報に記録された情報に基づいて、例えばインターネットなどをキーワード検索することによって、図４のＥにおいて選択された履歴に係る情報を取得する。そして、情報処理装置１００は、取得された情報を表示装置８００へと送信することによによって、図４のＥにおいて選択された履歴に係るさらなる情報を、表示装置８００の表示画面に表示させることができる。
【００６９】
また、例えば、ユーザが、上記「購入」を選択した場合には、表示装置８００は、購入のリクエストを情報処理装置１００へ送信する。上記リクエストを受信すると、情報処理装置１００は、履歴情報に記録された情報に基づいて、商品などを購入するためのウェブサイトへアクセスし、当該ウェブサイトから、例えば、商品の価格や商品詳細情報、在庫情報などを取得する。そして、情報処理装置１００は、取得された情報を表示装置８００へと送信することによって、購入に係る情報を、表示装置８００の表示画面に表示させることができる。ユーザが購入操作を行うと、表示装置８００は、当該購入操作に応じた購入リクエストを情報処理装置１００へと送信する。購入リクエストを受信した情報処理装置１００は、上記購入するためのウェブサイトと、表示装置８００との間における決済処理の仲介を行う。そして、決済が完了すると、情報処理装置１００は、例えば、決済の履歴を履歴情報に記録する。
【００７０】
また、例えば、ユーザが、上記「クーポン」を選択した場合には、表示装置８００は、クーポンの取得を情報処理装置１００へと要求する。上記取得の要求を受信すると、情報処理装置１００は、履歴情報に記録された情報に基づいて、クーポン情報をインターネットなどから取得する。そして、情報処理装置１００は、例えば、クーポン情報を予め登録されたメールアドレスに送信するか否かをユーザに選択させるための表示画面を表示装置８００に表示させる。例えば、表示装置８００から送信されたユーザがクーポン情報の送信を選択したことを示す送信リクエストを受信すると、情報処理装置１００は、クーポン情報を上記メールアドレスへ送信する。
【００７１】
例えば、ユーザが図４に示すＳｅｌ６を選択した場合には、表示装置８００の表示画面には、履歴情報に記録された購入履歴の情報が表示される。上記購入履歴の情報を示す表示画面は、表示履歴情報に予め記録されたものであってもよいし、表示装置８００と情報処理装置１００とが再度通信を行うことによって、情報処理装置１００が新たに生成してもよい。
【００７２】
また、表示履歴情報が表す画面には、履歴を絞り込むためのキーワード検索が可能な領域が設けられていてもよい（図４のＧ）。図４のＧが設けられることによって、例えば、インターネットにおいてキーワード検索をかけるように、ユーザは、履歴情報に含まれる情報を検索することができる。例えば、ユーザが、“クマが登場するＣＭが何のＣＭであったか”を知りたい場合には、“クマ”と“ＣＭ”というキーワードで検索操作を行うことによって、図２において登録した履歴を検索することができる。同様に、例えば、ユーザが“音楽”というキーワードで検索した場合には、履歴情報に“音楽”に係る情報が記録されている履歴の情報の一覧を、表示装置８００の表示画面に表示させることができる。
【００７３】
情報処理装置１００は、例えば、上記（１）の処理〜（３）の処理を行うことによって、送信データに基づいて履歴情報を選択的に記録し、また、送信データに基づいて履歴情報に基づく表示履歴情報の選択的な送信を行う。
【００７４】
ここで、情報処理装置１００は、例えば、第２の送信データに基づいて、図４に示すような履歴情報に基づく情報を表示画面に表示させるための表示履歴情報を生成し、表示装置８００の表示画面に履歴情報に基づく情報を表示させる。情報処理装置１００が生成する表示履歴情報は、第１の送信データに基づいて記録された履歴情報に基づくものであり、第１の送信データは、図２に示すように表示装置８００において（ユーザにより）明示的に送信される。よって、本発明の実施形態に係る履歴情報に基づく履歴表示情報によって表示装置８００の表示画面に表示される情報は、従来の技術においてユーザに提供される情報よりもユーザの関心がより高い、ユーザが所望する情報である可能性が高い。
【００７５】
したがって、情報処理装置１００は、情報処理端末固有の端末識別情報を含む送信データに基づいて、履歴情報の選択的な記録と履歴情報に基づく表示履歴情報の選択的な送信とを行い、ユーザによる情報の獲得を補助することができる。
【００７６】
なお、本発明の実施形態に係る情報処理装置１００が生成する表示履歴情報により表示される画面が、図４に示すレイアウトの画面や図４に示す情報を含む画面に限られないことは、言うまでもない。
【００７７】
また、情報処理装置１００が履歴情報に基づく情報を表示装置８００の表示画面に表示させる方法は、表示装置８００から送信される第２の送信データに基づくものに限られない。例えば、情報処理装置１００は、図５に示す表示画面のように、Ｗｅｂアクセスによっても同様の情報を表示画面に表示させることもできる。図５は、本発明の実施形態に係る履歴情報に基づく情報が表示画面に表示される他の例を示す説明図である。
【００７８】
［情報処理システム１０００における処理の一例］
次に、情報処理システム１０００における処理の一例を示す。以下では、情報処理システム１０００における処理の一例として、表示装置８００から第１の送信データが送信される例（第１の例）と、表示装置８００から第２の送信データが送信される例（第２の例）とを示す。
【００７９】
〔１〕第１の例
図６は、本発明の実施形態に係る情報処理システム１０００における処理の第１の例を示す説明図である。ここで、図６は、表示装置２００から情報処理装置１００へと第１の送信データが送信される場合における処理の一例を示している。
【００８０】
表示装置２００と情報処理端末３００との間で捕捉処理が行われる（Ｓ１００）。ここで、ステップＳ１００の処理は、例えば、表示装置２００が定期的／非定期的に搬送波を送信して情報処理端末３００を捕捉するポーリングによって行われる。
【００８１】
ステップＳ１００において捕捉処理が行われると、情報処理端末３００は、端末識別情報を表示装置２００へ送信する（Ｓ１０２）。ここで、情報処理端末３００は、例えば、表示装置２００から送信される端末識別情報の送信を要求する取得要求（図示せず）に対する応答として、端末識別情報を表示装置２００へ送信する。
【００８２】
表示装置２００は、例えばユーザ操作に基づいて登録データを生成する（Ｓ１０４）。そして、表示装置２００は、ステップＳ１０２において情報処理端末３００から送信された端末識別情報と、ステップＳ１０４において生成した登録データとを送信データとして情報処理装置１００へ送信する（Ｓ１０６；第１の送信データ送信）。
【００８３】
ステップＳ１０６において表示装置２００から送信された第１の送信データを受信した情報処理装置１００は、送信データの判定処理を行う（Ｓ１０８）。ここで、ステップＳ１０８の処理は、情報処理装置１００における上記（１）の処理に相当する。
【００８４】
情報処理装置１００は、ステップＳ１０８の処理結果（第１の処理結果）に基づいて、第１の送信データに含まれる登録データを解析する（Ｓ１１０）。ここで、ステップＳ１１０の処理は、情報処理装置１００における上記（２−１）の処理に相当する。
【００８５】
ステップＳ１１０において登録データの解析が完了すると、情報処理装置１００は、第１の送信データに含まれる端末識別情報に基づいて、解析結果を当該端末識別情報に対応する履歴情報に記録する（Ｓ１１２）。ここで、ステップＳ１１２の処理は、情報処理装置１００における上記（２−２）の処理に相当する。そして、情報処理装置１００は、ステップＳ１１２の処理の結果を表示装置２００へ送信する（Ｓ１１４）。
【００８６】
ステップＳ１１４において情報処理装置１００から送信された処理結果を受信した表示装置２００は、例えば、受信した処理結果に応じたメッセージ（例えば、登録完了／登録失敗など）を表示画面に表示する（Ｓ１１６）。
【００８７】
表示装置８００から第１の送信データが送信される場合には、情報処理システム１０００では、例えば、図６に示す処理が行われ、情報処理装置１００に履歴情報が記録される。なお、表示装置８００から第１の送信データが送信される場合における、本発明の実施形態に係る情報処理システム１０００における処理が、図６に示す処理に限られないことは、言うまでもない。
【００８８】
〔２〕第２の例
図７は、本発明の実施形態に係る情報処理システム１０００における処理の第２の例を示す説明図である。ここで、図７は、表示装置２００から情報処理装置１００へと第２の送信データが送信される場合における処理の一例を示している。
【００８９】
図６のステップＳ１００、Ｓ１０２と同様に、表示装置２００と情報処理端末３００との間で捕捉処理が行われ（Ｓ２００）、情報処理端末３００は、端末識別情報を表示装置２００へ送信する（Ｓ２０２）。
【００９０】
表示装置２００は、例えばユーザ操作に基づいて履歴情報取得要求を生成する（Ｓ２０４）。そして、表示装置２００は、ステップＳ２０２において情報処理端末３００から送信された端末識別情報と、ステップＳ２０４において生成した履歴情報取得要求とを送信データとして情報処理装置１００へ送信する（Ｓ２０６；第２の送信データ送信）。
【００９１】
ステップＳ２０６において表示装置２００から送信された第２の送信データを受信した情報処理装置１００は、図６のステップＳ１０８と同様に、送信データの判定処理を行う（Ｓ２０８）。
【００９２】
情報処理装置１００は、ステップＳ２０８の処理結果（第２の処理結果）と第２の送信データに含まれる端末識別情報とに基づいて、表示履歴情報を生成する（Ｓ２１０）。ここで、ステップＳ２１０の処理は、情報処理装置１００における上記（３）の処理に相当する。そして、情報処理装置１００は、ステップＳ２１０において生成した表示履歴情報を表示装置２００へ送信する（Ｓ２１２）。
【００９３】
ステップＳ２１２において情報処理装置１００から送信された表示履歴情報を受信した表示装置２００は、表示履歴情報に応じた画面を表示画面に表示する（Ｓ２１４）。
【００９４】
表示装置８００から第２の送信データが送信される場合には、情報処理システム１０００では、例えば、図７に示す処理が行われ、表示装置８００には履歴情報に基づく表示履歴情報に応じた画面が表示される。なお、表示装置８００から第２の送信データが送信される場合における、本発明の実施形態に係る情報処理システム１０００における処理が、図７に示す処理に限られないことは、言うまでもない。
【００９５】
情報処理システム１０００では、例えば、図６、図７に示す処理が行われる。次に、本発明の実施形態に係る情報処理装置１００、表示装置２００それぞれにおける処理について、説明する。
【００９６】
［情報処理装置１００における処理の一例］
図８は、本発明の実施形態に係る情報処理装置１００における処理の一例を示す流れ図である。ここで、図８は、情報処理装置１００における１つの送信データに対する処理の一例を示している。情報処理装置１００は、例えば、複数の送信データが受信されたときには、送信データごとに図８に示す処理を行うことができる。
【００９７】
情報処理装置１００は、送信データが受信されたか否かを判定する（Ｓ３００）。情報処理装置１００は、送信データが受信されたと判定されるまで処理を進めない。
【００９８】
ステップＳ３００において送信データが受信されたと判定されると、情報処理装置１００は、送信データに登録データが含まれているか否かを判定する（Ｓ３０２）。ここで、ステップＳ３０２の処理は、上記（１）の処理に相当する。
【００９９】
ステップＳ３０２において登録データ含まれていると判定された場合には、情報処理装置１００は、登録データを解析する（Ｓ３０４）。ここで、ステップＳ３０４の処理は、上記（２−１）の処理に相当する。
【０１００】
情報処理装置１００は、送信データに含まれる端末識別情報に基づいて、ステップＳ３０４の解析結果を履歴情報に記録する（Ｓ３０６）。ここで、ステップＳ３０４の処理は、上記（２−２）の処理に相当する。そして、情報処理装置１００は、ステップＳ３０６の処理結果を、送信データを送信した表示装置８００へ送信する（Ｓ３０８）。
【０１０１】
また、ステップＳ３０２において登録データ含まれていると判定されない場合には、情報処理装置１００は、送信データに履歴情報取得要求が含まれているか否かを判定する（Ｓ３１０）。
【０１０２】
ステップＳ３１０において履歴情報取得要求が含まれていると判定されない場合には、情報処理装置１００は、例外処理を行う（Ｓ３１６）。ここで、ステップＳ３１６に係る例外処理としては、例えば、処理を行えない旨のエラー情報を送信データを送信した表示装置８００へ送信することが挙げられるが、上記に限られない。
【０１０３】
また、ステップＳ３１０において履歴情報取得要求が含まれていると判定された場合には、情報処理装置１００は、送信データに含まれる端末識別情報に基づいて、当該端末識別情報に対応する履歴情報を抽出し、表示履歴情報を生成する（Ｓ３１２）。ここで、ステップＳ３１２の処理は、上記（３）の処理に相当する。
【０１０４】
そして、情報処理装置１００は、ステップＳ３１２において生成した表示履歴情報を送信データを送信した表示装置８００へ送信する（Ｓ３１４）。
【０１０５】
情報処理装置１００は、例えば、図８に示す処理を行うことによって、上述した（１）の処理〜（３）の処理を実現することができる。したがって、情報処理装置１００は、情報処理端末固有の端末識別情報を含む送信データに基づいて、履歴情報の選択的な記録と履歴情報に基づく表示履歴情報の選択的な送信とを行い、ユーザによる情報の獲得を補助することができる。
【０１０６】
［表示装置２００における処理の一例］
次に、表示装置２００における処理の一例について説明する。図９は、本発明の実施形態に係る表示装置２００における処理の一例を示す流れ図である。ここで、図９は、表示装置２００が表示画面に視聴画面が表示されている場合における処理の一例を示している。
【０１０７】
表示装置２００は、視聴画面を表示画面に表示する（Ｓ４００）。表示装置２００は、情報処理端末３００が検出されたか否かを判定する（Ｓ４０２）。ここで、表示装置２００は、例えば、ポーリングの結果によってステップＳ４０２の判定を行うが、上記に限られない。ステップＳ４０２において情報処理端末３００が検出されたと判定されない場合には、表示装置２００は、情報処理端末３００が検出されるまで処理を進めない。
【０１０８】
ステップＳ４０２において情報処理端末３００が検出されたと判定された場合には、表示装置２００は、情報処理端末３００から端末識別情報を取得する（Ｓ４０４）。また、表示装置２００は、図２に示すような処理選択画面を表示する（Ｓ４０６）。
【０１０９】
ステップＳ４０６において表示された処理選択画面において、例えばユーザ操作により選択が行われると、表示装置２００は、登録を行うか否かを判定する（Ｓ４０８）。
【０１１０】
ステップＳ４０８において登録を行うと判定された場合には、表示装置２００は、登録データを生成する（Ｓ４１０）。そして、表示装置２００は、ステップＳ４０４において取得された端末識別情報と、ステップＳ４１０において生成した登録データとを送信データとして情報処理装置１００へ送信する（Ｓ４１２；第１の送信データの送信）。
【０１１１】
ステップＳ４１２において送信された送信データに応じて情報処理装置１００から送信される処理結果を受信すると、表示装置２００は、受信した処理結果を表示画面に表示する（Ｓ４１４）。そして、表示装置２００は、視聴画面を表示する（Ｓ４２６）。
【０１１２】
また、ステップＳ４０８において登録を行うと判定されない場合には、表示装置２００は、履歴を表示するか否かを判定する（Ｓ４１６）。ステップＳ４１６において履歴を表示すると判定されない場合には、表示装置２００は、視聴画面を表示する（Ｓ４２６）。
【０１１３】
ステップＳ４１６において履歴を表示すると判定されない場合には、表示装置２００は、履歴情報取得要求を生成する。そして、表示装置２００は、ステップＳ４０４において取得された端末識別情報と、生成した履歴情報取得要求を送信データとして情報処理装置１００へ送信する（Ｓ４１８；第２の送信データの送信）。
【０１１４】
ステップＳ４１８において送信された送信データに応じて情報処理装置１００から送信される表示履歴情報を受信すると、表示装置２００は、受信した表示履歴情報に応じた画面を表示画面に表示する（Ｓ４２０）。
【０１１５】
ステップＳ４２０において表示された表示履歴情報に応じた画面において、例えばユーザ操作により選択が行われると、表示装置２００は、履歴が選択されたか否かを判定する（Ｓ４２２）。
【０１１６】
ステップＳ４２２において履歴が選択されたと判定されない場合には、表示装置２００は、視聴画面を表示する（Ｓ４２６）。なお、例えば図４に示す購入履歴が選択された場合には、表示装置２００は、購入履歴を示す画面を表示画面に表示する。
【０１１７】
ステップＳ４２２において履歴が選択されたと判定された場合には、表示装置２００は、選択された履歴に応じた処理を行う（Ｓ４２４）。ここで、ステップＳ４２４における選択された履歴に応じた処理としては、例えば、上述した「コンテンツ」、「購入」、「クーポン」に係る処理が挙げられるが、上記に限られない。そして、ステップＳ４２４の処理が完了すると、視聴画面を表示する（Ｓ４２６）。
【０１１８】
表示装置２００では、例えば、図９に示す処理が行われることによって、送信データを選択的に送信し、送信した送信データに対応する画面を表示画面に表示することができる。
【０１１９】
〔表示装置２００における処理の他の例〕
なお、本発明の実施形態に係る表示装置２００における処理は、図９に示す処理に限られない。例えば、表示装置２００は、図９のステップＳ４０４において情報処理端末３００が検出されたとき、視聴画面に表示されている放送内容が、テレビショッピング番組である場合には、処理選択画面の替わりに購入画面を表示させることもできる。
【０１２０】
図１０は、本発明の実施形態に係る表示装置における処理の他の例を示す流れ図である。ここで、図１０は、表示装置２００の表示画面に購入画面が表示される場合における処理の一例を示している。
【０１２１】
表示装置２００は、購入画面を表示する（Ｓ５００）。図１１は、本発明の実施形態に係る表示装置２００に表示される購入画面の一例を示す説明図である。図１１に示すように、本発明の実施形態に係る購入画面には、例えば、ユーザに選択させる処理を表す情報（図１１のＳｅｌ７〜Ｓｅｌ９）が表示される。
【０１２２】
ステップＳ５００において表示された購入画面において、例えばユーザ操作により選択が行われると、表示装置２００は、購入するか否かを判定する（Ｓ５０２）。ここで、表示装置２００は、例えば、図１１に示すＳｅｌ８が選択されたか否かによりステップＳ５０２の判定を行うことができる。
【０１２３】
ステップＳ５０２において購入すると判定されない場合には、表示装置２００は、視聴画面を表示する（Ｓ５１２）。
【０１２４】
また、ステップＳ５０２において購入すると判定された場合には、表示装置２００は、情報処理端末３００との通信を要求する画面を表示する（Ｓ５０４）。ここで、ステップＳ５０４において情報処理端末３００との通信を要求するのは、例えば、情報処理システム１０００では、情報処理端末３００に記録された電子マネーなどの電子バリューを用いて決済を行うことが可能であるためである。なお、上記は、情報処理システム１０００における決済方法の一例であることは、言うまでもない。
【０１２５】
そして、表示装置２００は、図９のステップＳ４０２と同様に、情報処理端末３００が検出されたか否かを判定する（Ｓ５０６）。ステップＳ５０６において情報処理端末３００が検出されたと判定されない場合には、表示装置２００は、ステップＳ５０４からの処理を繰り返す。
【０１２６】
また、ステップＳ５０６において情報処理端末３００が検出されたと判定された場合には、表示装置２００は、情報処理装置１００と連携し、例えば、情報処理端末３００に記憶された電子バリューにより決済処理を行う（Ｓ５０８）。
【０１２７】
表示装置２００は、ステップＳ５０８における決済処理の結果を表示画面に表示し（Ｓ５１０）、その後、視聴画面を表示する（Ｓ５１２）。
【０１２８】
表示装置２００は、例えば、図１０に示す処理によって、例えば、テレビショッピング番組において取り扱っている商品の購入を行うことができる。
【０１２９】
本発明の実施形態に係る情報処理システム１０００を構成する情報処理装置１００、表示装置８００では、それぞれ上述したような処理が行われる。ここで、情報処理装置１００は、例えば、上記（１）の処理〜（３）の処理を行うことによって、送信データに基づいて履歴情報を選択的に記録し、また、送信データに基づいて履歴情報に基づく表示履歴情報の選択的な送信を行う。また、上記（１）の処理〜（３）の処理の結果、表示装置８００の表示画面に表示される履歴情報に基づく履歴表示情報に応じた情報は、表示装置８００において（ユーザにより）明示的に送信された第１の送信データに基づくものである。よって、情報処理装置１００が、表示装置２００に提供する情報は、従来の技術においてユーザに提供される情報よりもユーザの関心がより高い、ユーザが所望する情報である可能性が高い。したがって、情報処理装置１００は、情報処理端末固有の端末識別情報を含む送信データに基づいて、履歴情報の選択的な記録と履歴情報に基づく表示履歴情報の選択的な送信とを行い、ユーザによる情報の獲得を補助することができる。
【０１３０】
（本発明の実施形態に係る情報処理システム）
次に、上述した本発明の実施形態に係る情報処理アプローチを実現することが可能な、本発明の実施形態に係る情報処理システム１０００の構成例について説明する。以下では、本発明の実施形態に係る表示装置８００として、表示装置２００を例に挙げて説明する。また、情報処理システム１０００を構成するその他の表示装置については、表示装置２００と同様の構成をとることができるため、説明を省略する。
【０１３１】
［情報処理装置１００］
図１２は、本発明の実施形態に係る情報処理装置１００の構成の一例を示す説明図である。ここで、図１２では、ネットワーク５００を併せて示している。
【０１３２】
情報処理装置１００は、通信部１０２と、記憶部１０４と、制御部１０６と、操作部１０８と、表示部１１０とを備える。
【０１３３】
また、情報処理装置１００は、例えば、ＲＯＭ（Read  Only  Memory；図示せず）や、ＲＡＭ（Random  Access  Memory；図示せず）などを備えてもよい。情報処理装置１００は、例えば、データの伝送路としてのバス（bus）により各構成要素間を接続することができる。ここで、ＲＯＭは、制御部１０６が使用するプログラムや演算パラメータなどの制御用データを記憶する。ＲＡＭは、制御部１０６により実行されるプログラムなどを一次記憶する。
【０１３４】
〔情報処理装置１００のハードウェア構成例〕
図１３は、本発明の実施形態に係る情報処理装置１００のハードウェア構成の一例を示す説明図である。図１３を参照すると、情報処理装置１００は、例えば、ＭＰＵ１５０と、ＲＯＭ１５２と、ＲＡＭ１５４と、記録媒体１５６と、入出力インタフェース１５８と、操作入力デバイス１６０と、表示デバイス１６２と、通信インタフェース１６４とを備える。また、情報処理装置１００は、例えば、データの伝送路としてのバス１６６で各構成要素間を接続する。
【０１３５】
ＭＰＵ１５０は、ＭＰＵ（Micro  Processing  Unit）や、制御機能を実現するための複数の回路が集積された集積回路などで構成され、情報処理装置１００全体を制御する制御部１０６として機能する。また、ＭＰＵ１５０は、情報処理装置１００において、後述する処理判定部１２０、データ解析部１２２、履歴情報記録部１２４、履歴情報送信制御部１２６としての役目を果たすこともできる。
【０１３６】
ＲＯＭ１５２は、ＭＰＵ１５０が使用するプログラムや演算パラメータなどの制御用データを記憶し、また、ＲＡＭ１５４は、ＭＰＵ１５０により実行されるプログラムなどを一次記憶する。
【０１３７】
記録媒体１５６は、記憶部１０４として機能し、例えば、ユーザＤＢや、履歴情報、アプリケーションなど様々なデータ（情報）を記憶する。ここで、記録媒体１５６としては、例えば、ハードディスク（Hard  Disk）などの磁気記録媒体や、ＥＥＰＲＯＭ（Electrically  Erasable  and  Programmable  Read  Only  Memory）、フラッシュメモリ（flash  memory）、ＭＲＡＭ（Magnetoresistive  Random  Access  Memory）、ＦｅＲＡＭ（Ferroelectric  Random  Access  Memory）、ＰＲＡＭ（Phase  change  Random  Access  Memory）などの不揮発性メモリ（nonvolatile  memory）が挙げられるが、上記に限られない。
【０１３８】
入出力インタフェース１５８は、例えば、操作入力デバイス１６０や、表示デバイス１６２を接続する。操作入力デバイス１６０は、操作部１０８として機能し、また、表示デバイス１６２は、表示部１１０として機能する。ここで、入出力インタフェース１５８としては、例えば、ＵＳＢ（Universal  Serial  Bus）端子や、ＤＶＩ（Digital  Visual  Interface）端子、ＨＤＭＩ（High-Definition  Multimedia  Interface）端子などが挙げられるが、上記に限られない。また、操作入力デバイス１６０は、例えば、情報処理装置１００上に備えられ、情報処理装置１００の内部で入出力インタフェース１５８と接続される。操作入力デバイス１６０としては、例えば、ボタン、方向キー、ジョグダイヤルなどの回転型セレクター、あるいは、これらの組み合わせなどが挙げられるが、上記に限られない。また、表示デバイス１６２は、例えば、情報処理装置１００上に備えられ、情報処理装置１００の内部で入出力インタフェース１５８と接続される。表示デバイス１６２としては、例えば、ＬＣＤ（Liquid  Crystal  Display。液晶ディスプレイ）や有機ＥＬディスプレイ（organic  ElectroLuminescence  display。または、ＯＬＥＤディスプレイ（Organic  Light  Emitting  Diode  display）ともよばれる。）などが挙げられるが、上記に限られない。なお、入出力インタフェース１５８は、情報処理装置１００の外部装置としての操作入力デバイス（例えば、キーボードやマウスなど）や、表示デバイス（例えば、外部ディスプレイなど）と接続することもできることは、言うまでもない。
【０１３９】
通信インタフェース１６４は、情報処理装置１００が備える通信手段であり、ネットワーク５００を介して（あるいは、直接的に）表示装置２００などの外部装置と無線／有線で通信を行うための通信部１０２として機能する。また、通信インタフェース１６４は、第２の通信路にて外部装置と通信を行う役目を果たす。ここで、通信インタフェース１６４としては、例えば、通信アンテナおよびＲＦ回路（無線通信）や、ＩＥＥＥ８０２．１５．１ポートおよび送受信回路（無線通信）、ＩＥＥＥ８０２．１１ｂポートおよび送受信回路（無線通信）、あるいはＬＡＮ端子および送受信回路（有線通信）などが挙げられるが、上記に限られない。例えば、通信インタフェース１６４は、ネットワーク５００に対応する構成とすることができる。
【０１４０】
情報処理装置１００は、例えば、図１３に示す構成によって、上述した（１）の処理〜（３）の処理を実現する。なお、本発明の実施形態に係る情報処理装置１００のハードウェア構成が、図１３に示す構成に限られないことは、言うまでもない。
【０１４１】
再度図１２を参照して、情報処理装置１００の構成要素について説明する。通信部１０２は、情報処理装置１００が備える通信手段であり、ネットワーク５００を介して（あるいは、直接的に）表示装置２００などの外部装置と無線／有線で通信を行う。ここで、通信部１０２は、第２の通信路にて外部装置と通信を行う役目を果たす。また、通信部１０２は、例えば、制御部１０６によって外部装置との通信が制御される。
【０１４２】
記憶部１０４は、情報処理装置１００が備える記憶手段である。ここで、記憶部１０４としては、例えば、ハードディスクなどの磁気記録媒体や、フラッシュメモリなどの不揮発性メモリなどが挙げられるが、上記に限られない。
【０１４３】
また、記憶部１０４は、例えば、ユーザＤＢや、履歴情報、アプリケーションなど様々なデータ（情報）を記憶する。ここで、図１２では、ユーザＤＢ１３０と、履歴情報Ａ１３２、履歴情報Ｂ１３４、…とが記憶部１０４に記憶されている例を示しているが、上記に限られない。
【０１４４】
制御部１０６は、例えば、ＭＰＵや、暗号処理回路などの各種回路が集積された集積回路などで構成され、情報処理装置１００全体を制御する役目を果たす。また、制御部１０６は、処理判定部１２０、データ解析部１２２、履歴情報記録部１２４、および履歴情報送信制御部１２６を備える。
【０１４５】
処理判定部１２０は、上記（１）の処理（処理の種別の判定処理）を行う役目を果たす。より具体的には、処理判定部１２０は、通信部１０２が受信した送信データに基づいて、第１の判定結果または第２の判定結果を出力する。
【０１４６】
データ解析部１２２は、上記（２−１）の処理（登録データの解析処理）を行う役目を果たす。より具体的には、データ解析部１２２は、処理判定部１２０において第１の処理結果が出力された場合に、登録データの解析を選択的に行う。
【０１４７】
履歴情報記録部１２４は、上記（２−２）の処理（履歴情報の記録処理）を行う役目を果たす。より具体的には、履歴情報記録部１２４は、通信部１０２が受信した送信データに含まれる端末識別情報に対応する履歴情報に、データ解析部１２２から伝達される解析結果を記録する。
【０１４８】
制御部１０６は、データ解析部１２２および履歴情報記録部１２４を備えることによって、上記（２）の処理（履歴情報の記録処理）を実現する。
【０１４９】
履歴情報送信制御部１２６は、上記（３）の処理（表示履歴情報の送信処理）を行う役目を果たす。より具体的には、履歴情報送信制御部１２６は、処理判定部１２０において第２の処理結果が出力された場合に、送信データに含まれる端末識別情報に基づいて、当該端末識別情報に対応する履歴情報を抽出する。そして、情報処理装置１００は、抽出された履歴情報に基づいて表示履歴情報を生成し、送信データを送信した表示装置８００へ送信する。
【０１５０】
制御部１０６は、処理判定部１２０、データ解析部１２２、履歴情報記録部１２４、および履歴情報送信制御部１２６を備えることによって、上記（１）の処理〜（３）の処理を主導的に行う役目を果たす。
【０１５１】
操作部１０８は、ユーザによる操作を可能とする情報処理装置１００が備える操作手段である。情報処理装置１００は、操作部１０８を備えることによって、ユーザが所望する処理を行うことができる。ここで、操作部１０８としては、例えば、ボタン、方向キー、ジョグダイヤルなどの回転型セレクタ、あるいは、これらの組み合わせなどが挙げられるが、上記に限られない。
【０１５２】
表示部１１０は、情報処理装置１００が備える表示手段であり、表示画面に様々な情報を表示する。表示部１１０の表示画面に表示される画面としては、例えば、所望する動作を情報処理装置１００に対して行わせるための操作画面などが挙げられる。ここで、表示部１１０としては、例えば、ＬＣＤや有機ＥＬディスプレイなどが挙げられるが、上記に限られない。
【０１５３】
情報処理装置１００は、例えば図１２に示す構成によって、上述した（１）の処理〜（３）の処理を実現する。したがって、情報処理装置１００は、情報処理端末固有の端末識別情報を含む送信データに基づいて、履歴情報の選択的な記録と履歴情報に基づく表示履歴情報の選択的な送信とを行い、ユーザによる情報の獲得を補助することができる。
【０１５４】
［表示装置２００］
図１４は、本発明の実施形態に係る表示装置２００の構成の一例を示す説明図である。ここで、図１４では、情報処理端末３００とネットワーク５００とを併せて示している。
【０１５５】
表示装置２００は、第１通信部２０２と、第２通信部２０４と、制御部２０６と、操作部２０８と、表示部２１０とを備える。
【０１５６】
また、表示装置２００は、ＲＯＭ（図示せず）や、ＲＡＭ（図示せず）、記憶部（図示せず）などを備えてもよい。表示装置２００は、例えば、データの伝送路としてのバスにより各構成要素間を接続することができる。
【０１５７】
〔表示装置２００のハードウェア構成例〕
図１５は、本発明の実施形態に係る表示装置２００のハードウェア構成の一例を示す説明図である。図１５を参照すると、表示装置２００は、例えば、ＭＰＵ１５０と、ＲＯＭ１５２と、ＲＡＭ１５４と、記録媒体１５６と、無線通信アンテナ回路２５０と、搬送波送信回路２５２と、入出力インタフェース１５８と、操作入力デバイス１６０と、表示デバイス１６２と、通信インタフェース１６４とを備える。また、情報処理装置１００は、例えば、データの伝送路としてのバス１６６で各構成要素間を接続する。
【０１５８】
ＭＰＵ１５０は、ＭＰＵや、制御機能を実現するための複数の回路が集積された集積回路などで構成され、表示装置２００全体を制御する制御部２０６として機能する。また、ＭＰＵ１５０は、表示装置２００において、後述するデータ生成部２１２としての役目を果たすこともできる。
【０１５９】
ＲＯＭ１５２は、ＭＰＵ１５０が使用するプログラムや演算パラメータなどの制御用データを記憶し、また、ＲＡＭ１５４は、ＭＰＵ１５０により実行されるプログラムなどを一次記憶する。
【０１６０】
記録媒体１５６は、記憶部（図示せず）として機能し、例えば、アプリケーションなど様々なデータ（情報）を記憶する。ここで、記録媒体１５６としては、例えば、ハードディスクなどの磁気記録媒体や、フラッシュメモリなどの不揮発性メモリが挙げられるが、上記に限られない。
【０１６１】
無線通信アンテナ回路２５０は、表示装置２００が備える通信手段である。無線通信アンテナ回路２５０は、例えば、送受信アンテナとしての所定のインダクタンスをもつコイルおよび所定の静電容量をもつキャパシタからなる共振回路と、復調回路とから構成される。無線通信アンテナ回路２５０は、搬送波を送信し、例えば情報処理端末３００における負荷変調に応じて送受信アンテナ端に生じる電圧の変化（反磁界による変化）を検出することによって、情報処理端末３００からの応答を信号として取り出す。
【０１６２】
搬送波送信回路２５２は、例えば、ＡＳＫ（Amplitude  Shift  Keying）変調を行う変調回路、変調回路の出力を増幅する増幅回路を備え、無線通信アンテナ回路２５０の送受信アンテナから搬送波信号をのせた搬送波を送信する。搬送波送信回路２５２を備えることによって、表示装置２００は、いわゆるリーダ／ライタ機能を有することができる。ここで、搬送波送信回路２５２が無線通信アンテナ回路２５０から送信する搬送波信号としては、例えば、上記ポーリングに係る信号や、端末識別情報を取得するための取得要求を示す信号などが挙げられる。また、搬送波送信回路２５２は、例えば、ＭＰＵ１５０によって搬送波の送信が制御される。
【０１６３】
したがって、無線通信アンテナ回路２５０と搬送波送信回路２５２とは、表示装置２００において、第１の通信路を形成する第２通信部２０４として機能する。
【０１６４】
入出力インタフェース１５８は、例えば、操作入力デバイス１６０や、表示デバイス１６２を接続する。操作入力デバイス１６０は、操作部２０８として機能し、また、表示デバイス１６２は、表示部２１０として機能する。
【０１６５】
通信インタフェース１６４は、表示装置２００が備える通信手段であり、ネットワーク５００を介して（あるいは、直接的に）情報処理装置１００などの外部装置と無線／有線で通信を行うための第１通信部２０２として機能する。また、通信インタフェース１６４は、第２の通信路にて外部装置と通信を行う役目を果たす。
【０１６６】
表示装置２００は、例えば、図１５に示す構成によって、送信データを選択的に送信し、送信した送信データに対応する画面を表示画面に表示することができる。なお、本発明の実施形態に係る表示装置２００のハードウェア構成が、図１５に示す構成に限られないことは、言うまでもない。
【０１６７】
再度図１４を参照して表示装置２００の構成要素について説明する。第１通信部２０２は、表示装置２００が備える第１の通信手段であり、第１の通信路にて情報処理端末３００などの外部装置と通信を行う役目を果たす。
【０１６８】
第２通信部２０４は、表示装置２００が備える第２の通信手段であり、ネットワーク５００を介して（あるいは、直接的に）情報処理装置１００などの外部装置と無線／有線で通信を行う。ここで、第２通信部２０４は、第２の通信路にて外部装置と通信を行う役目を果たす。
【０１６９】
制御部２０６は、例えば、ＭＰＵや、暗号処理回路などの各種回路が集積された集積回路などで構成され、表示装置２００全体を制御する役目を果たす。また、制御部２０６は、データ生成部２１２を備える。
【０１７０】
データ生成部２１２は、操作部２０８が生成する処理の種別を規定する操作信号に基づいて、送信データ（第１の送信データ／第２の送信データ）を生成する。そして、データ生成部２１２は、生成した送信データを情報処理装置１００へ送信させる。
【０１７１】
制御部２０６は、データ生成部２１２を備えることによって、送信データを選択的に送信することができる。
【０１７２】
操作部２０８は、ユーザによる操作を可能とする表示装置２００が備える操作手段である。表示装置２００は、操作部２０８を備えることによって、例えば、ユーザ操作に応じた処理の種別を規定する操作信号の生成など、ユーザが所望する処理を行うことができる。ここで、操作部２０８としては、例えば、ボタン、方向キー、ジョグダイヤルなどの回転型セレクタ、あるいは、これらの組み合わせなどが挙げられるが、上記に限られない。
【０１７３】
表示部２１０は、表示装置２００が備える表示手段であり、表示画面に様々な情報を表示する。表示部２１０の表示画面に表示される画面としては、例えば、図２に示すような処理選択画面や、情報処理装置１００から送信される表示履歴情報に応じた画面、所望する動作を表示装置２００に対して行わせるための操作画面などが挙げられる。ここで、表示部２１０としては、例えば、ＬＣＤや有機ＥＬディスプレイなどが挙げられるが、上記に限られない。
【０１７４】
表示装置２００は、例えば、図１４に示す構成によって、送信データを選択的に送信し、送信した送信データに対応する画面を表示画面に表示することができる。
【０１７５】
以上のように、本発明の実施形態に係る情報処理システム１０００は、情報処理装置１００と、表示装置２００、２００’、…と、固有の端末識別情報をそれぞれ有する情報処理端末３００、３００’、…とを有する。情報処理装置１００は、上述した（１）の処理〜（３）の処理を行うことによって、送信データに基づいて履歴情報を選択的に記録し、また、送信データに基づいて履歴情報に基づく表示履歴情報の選択的な送信を行う。ここで、上記（１）の処理〜（３）の処理の結果、表示装置２００、２００’、…の表示画面に表示される履歴表示情報に応じた情報は、表示装置２００、２００’、…において（ユーザにより）明示的に送信された第１の送信データに基づくものである。よって、情報処理装置１００が、表示装置２００、２００’、…に提供する情報は、従来の技術においてユーザに提供される情報よりもユーザの関心がより高い、ユーザが所望する情報である可能性が高い。したがって、情報処理装置１００は、情報処理端末固有の端末識別情報を含む送信データに基づいて、履歴情報の選択的な記録と履歴情報に基づく表示履歴情報の選択的な送信とを行い、ユーザによる情報の獲得を補助することができる。
【０１７６】
また、上記構成によって、端末識別情報を含む送信データに基づいて、履歴情報の選択的な記録と履歴情報に基づく表示履歴情報の選択的な送信とを行い、ユーザによる情報の獲得を補助することが可能な情報処理システム１０００が実現される。
【０１７７】
また、本発明の実施形態に係る情報処理システム１０００では、情報処理装置１００が情報処理端末９００固有の端末識別情報ごとに履歴情報を記憶する。したがって、情報処理システム１０００は、図１に示す情報処理端末３００のユーザが表示装置２００’に情報処理端末３００をかざしたとしても、表示装置２００に情報処理端末３００をかざした場合と同様の情報を表示装置２００’に表示させることができる。
【０１７８】
［本発明の実施形態に係る情報処理システムの変形例］
上記では、本発明の実施形態に係る情報処理システム１０００として、情報処理装置１００と、表示装置８００と、情報処理端末９００とを有する情報処理システムについて説明した。しかしながら、本発明の実施形態に係る情報処理システムは、上記の構成に限られない。例えば、本発明の実施形態に係る情報処理システムは、情報処理装置１００と表示装置２００とを１つの装置で実現することもできる。
【０１７９】
図１６は、本発明の実施形態の変形例に係る情報処理装置４００の構成の一例を示す説明図である。ここで、図１６は、情報処理装置１００と表示装置２００とを１つの装置で実現する場合における情報処理装置の構成の一例を示している。また、図１６では、情報処理端末３００とネットワーク５００とを併せて示している。
【０１８０】
情報処理装置４００は、第１通信部４０２（通信部）と、第２通信部４０４と、記憶部１０４と、制御部４０６と、操作部１０８と、表示部１１０とを備える。ここで、図１６に示す記憶部１０４、操作部１０８、および表示部１１０は、図１２に示す記憶部１０４、操作部１０８、および表示部１１０と同様の構成、機能を有する。以下では、図１６に示す情報処理装置４００の構成要素のうち、主に図１２に示す情報処理装置１００と異なる構成要素について説明する。
【０１８１】
〔情報処理装置４００のハードウェア構成例〕
図１７は、本発明の実施形態の変形例に係る情報処理装置のハードウェア構成の一例を示す説明図である。図１７を参照すると、情報処理装置４００は、図１５に示す表示装置２００と同様のハードウェア構成をとっている。つまり、情報処理装置４００は、リーダ／ライタ機能を有し、第１の通信路にて情報処理端末３００と通信を行うことができる。また、情報処理装置４００は、図１３に示す情報処理装置１００のハードウェア構成を全て含む。したがって、情報処理装置４００は、情報処理装置１００と同様に、上述した（１）の処理〜（３）の処理と同様の処理を実現することができる。
【０１８２】
再度図１６を参照して情報処理装置４００の構成要素について説明する。第１通信部４０２は、情報処理装置４００が備える第１の通信手段であり、第１の通信路にて情報処理端末３００などの外部装置と通信を行う役目を果たす。
【０１８３】
第２通信部４０４は、情報処理装置４００が備える第２の通信手段であり、ネットワーク５００を介して（あるいは、直接的に）外部装置と無線／有線で通信を行う。ここで、第２通信部４０４は、第２の通信路にて外部装置と通信を行う役目を果たす。
【０１８４】
制御部４０６は、例えば、ＭＰＵや、暗号処理回路などの各種回路が集積された集積回路などで構成され、情報処理装置４００全体を制御する役目を果たす。また、制御部４０６は、履歴情報管理部４１０と、データ生成部４１２を備える。
【０１８５】
履歴情報管理部４１０は、処理判定部１２０と、データ解析部１２２と、履歴情報記録部１２４と、履歴情報表示制御部４１４とを備える。ここで、図１６に示す処理判定部１２０、データ解析部１２２、および履歴情報記録部１２４は、図１２に示す処理判定部１２０、データ解析部１２２、および履歴情報記録部１２４と同様の構成、機能を有する。したがって、履歴情報管理部４１０は、上述した（１）の処理〜（２）の処理を主導的に行う役目を果たすことができる。
【０１８６】
履歴情報表示制御部４１４は、図１２に示す履歴情報送信制御部１２６と同様に表示履歴情報を生成し、生成した表示履歴情報を表示部１１０に表示させる。つまり、履歴情報表示制御部４１４と図１２に示す履歴情報送信制御部１２６とは、自装置が備える表示部に表示履歴情報に応じた画面を表示させるか、外部装置が備える表示部に表示履歴情報に応じた画面を表示させるかという点で異なる。しかしながら、履歴情報表示制御部４１４と履歴情報送信制御部１２６との差異は、表示履歴情報の送信先（伝達先）が異なるだけであるので、履歴情報表示制御部４１４は、上述した（３）の処理と同等の処理を行っているといえる。
【０１８７】
データ生成部４１２は、図１４に示す表示装置２００が備えるデータ生成部２１２と同様に、操作部１０８が生成する処理の種別を規定する操作信号に基づいて、送信データ（第１の送信データ／第２の送信データ）に対応する処理データを生成する。そして、データ生成部４１２は、生成した処理データを履歴情報管理部４１０へ伝達する。
【０１８８】
制御部４０６は、履歴情報管理部４１０およびデータ生成部４１２を備えることによって、情報処理システム１０００において情報処理装置１００と表示装置２００とが連携して行っていた処理と同等の処理を行うことができる。
【０１８９】
上記のように、情報処理装置４００は、図１６に示す構成によって、上述した（１）の処理〜（３）の処理と同様の処理を実現することができる。したがって、情報処理装置４００は、図１２に示す情報処理装置１００と同様に、ユーザによる情報の獲得を補助することができる。また、変形例に係る情報処理装置４００を有する構成によって、情報処理システム１０００と同様にユーザによる情報の獲得を補助することが可能な情報処理システムが実現される。
【０１９０】
以上、本発明の実施形態に係る情報処理システム１０００を構成する構成要素として情報処理装置１００を挙げて説明したが、本発明の実施形態は、かかる形態に限られない。本発明の実施形態は、例えば、ＰＣやサーバ（Server）などのコンピュータなど、様々な機器に適用することができる。
【０１９１】
また、本発明の実施形態に係る情報処理システム１０００を構成する構成要素として表示装置２００、２００’、…を挙げて説明したが、本発明の実施形態は、かかる形態に限られない。本発明の実施形態は、例えば、ＬＣＤやＯＬＥＤディスプレイ、デジタル放送／アナログ放送を受信可能なテレビ受像機、携帯電話やＰＨＳ（Personal  Handyphone  System）などの携帯型通信装置、ＷＡＬＫ  ＭＡＮ（登録商標）などの映像／音楽再生装置、ＰｌａｙＳｔａｔｉｏｎ  Ｐｏｒｔａｂｌｅ（登録商標）などの携帯型ゲーム機、ＰＤＡ（Personal  Digital  Assistant）やノート型ＰＣ（Personal  Computer）などのコンピュータなど、様々な機器に適用することができる。
【０１９２】
また、本発明の実施形態に係る情報処理システム１０００を構成する構成要素として情報処理端末３００、３００’、…を挙げて説明したが、本発明の実施形態は、かかる形態に限られない。本発明の実施形態は、例えば、ＩＣカードや、携帯電話などの携帯型通信装置など、所定周波数の搬送波を用いて通信可能な様々な機器に適用することができる。
【０１９３】
また、本発明の実施形態の変形例に係る情報処理システムを構成する構成要素として情報処理装置４００を挙げて説明したが、本発明の実施形態は、かかる形態に限られない。本発明の実施形態は、例えば、ＬＣＤやＯＬＥＤディスプレイ、デジタル放送／アナログ放送を受信可能なテレビ受像機、携帯電話などの携帯型通信装置、ＷＡＬＫ  ＭＡＮ（登録商標）などの映像／音楽再生装置、ＰｌａｙＳｔａｔｉｏｎ  Ｐｏｒｔａｂｌｅ（登録商標）などの携帯型ゲーム機、ＰＤＡやノート型ＰＣ、サーバなどのコンピュータなど、様々な機器に適用することができる。
【０１９４】
（本発明の実施形態に係るプログラム）
コンピュータを、本発明の実施形態に係る情報処理装置１００として機能させるためのプログラムによって、情報処理端末固有の端末識別情報を含む送信データに基づいて、履歴情報の選択的な記録と履歴情報に基づく表示履歴情報の選択的な送信とを行い、ユーザによる情報の獲得を補助することができる。
【０１９５】
また、コンピュータを、本発明の実施形態の変形例に係る情報処理装置４００として機能させるためのプログラムによって、情報処理装置１００と同様に、ユーザによる情報の獲得を補助することができる。
【０１９６】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【０１９７】
例えば、上記では、コンピュータを、本発明の実施形態に係る情報処理装置１００、４００として機能させるためのプログラム（コンピュータプログラム）が提供されることを示したが、本発明の実施形態は、さらに、上記プログラムを記憶させた記憶媒体も併せて提供することができる。
【０１９８】
上述した構成は、本発明の実施形態の一例を示すものであり、当然に、本発明の技術的範囲に属するものである。
【図面の簡単な説明】
【０１９９】
【図１】本発明の実施形態に係る情報処理システムの概要を説明するための説明図である。
【図２】本発明の実施形態に係る表示装置が表示画面に表示させる処理選択画面の一例を示す説明図である。
【図３】本発明の実施形態に係る情報処理装置が記憶するユーザＤＢの一例を示す説明図である。
【図４】本発明の実施形態に係る情報処理装置が生成する表示履歴情報の一例を示す説明図である。
【図５】本発明の実施形態に係る履歴情報に基づく情報が表示画面に表示される他の例を示す説明図である。
【図６】本発明の実施形態に係る情報処理システムにおける処理の第１の例を示す説明図である。
【図７】本発明の実施形態に係る情報処理システムにおける処理の第２の例を示す説明図である。
【図８】本発明の実施形態に係る情報処理装置における処理の一例を示す流れ図である。
【図９】本発明の実施形態に係る表示装置における処理の一例を示す流れ図である。
【図１０】本発明の実施形態に係る表示装置における処理の他の例を示す流れ図である。
【図１１】本発明の実施形態に係る表示装置に表示される購入画面の一例を示す説明図である。
【図１２】本発明の実施形態に係る情報処理装置の構成の一例を示す説明図である。
【図１３】本発明の実施形態に係る情報処理装置のハードウェア構成の一例を示す説明図である。
【図１４】本発明の実施形態に係る表示装置の構成の一例を示す説明図である。
【図１５】本発明の実施形態に係る表示装置のハードウェア構成の一例を示す説明図である。
【図１６】本発明の実施形態の変形例に係る情報処理装置の構成の一例を示す説明図である。
【図１７】本発明の実施形態の変形例に係る情報処理装置のハードウェア構成の一例を示す説明図である。
【符号の説明】
【０２００】
１００、４００    情報処理装置
１０２    通信部
１０４    記憶部
１０６、２０６、４０６    制御部
１２０    処理判定部
１２２    データ解析部
１２４    履歴情報記録部
１２６    履歴情報送信制御部
２００    表示装置
２０２、４０２    第１通信部
２０４、４０４    第２通信部
２１２、４１２    データ生成部
３００    情報処理端末
４１０    履歴情報管理部
４１４    履歴情報表示制御部
１０００  情報処理システム
【図１】
2010165035.tif 000003
【図２】
2010165035.tif 000004
【図３】
2010165035.tif 000005
【図４】
2010165035.tif 000006
【図５】
2010165035.tif 000007
【図６】
2010165035.tif 000008
【図７】
2010165035.tif 000009
【図８】
2010165035.tif 000010
【図９】
2010165035.tif 000011
【図１０】
2010165035.tif 000012
【図１１】
2010165035.tif 000013
【図１２】
2010165035.tif 000014
【図１３】
2010165035.tif 000015
【図１４】
2010165035.tif 000016
【図１５】
2010165035.tif 000017
【図１６】
2010165035.tif 000018
【図１７】
2010165035.tif 000019